(57)【特許請求の範囲】
【請求項１】
展示用ラックに取付けた展示用フックに商品を吊り下げて展示し、販売する商品展示販売システムにおいて、前記フックの最先頭部に商品説明用ディスプレーを吊り下げるシステムと、前記ディスプレーの後方側に位置させて販売商品パッケージを前記フックに着脱自在に吊り下げるシステムからなり、前記ディスプレーは、吊り下げ展示用基材と展示販売する商品の少なくとも１個の商品見本と、前記商品の商品名表示と商品番号、及び前記商品の商品仕様説明表示とを有し、前記販売商品パッケージは、燃焼時における公害ガスの発生量が少ない素材よりなる包装体内に展示販売する商品を収容してなっていると共に、前記包装体には少なくとも前記商品の商品名及び商品番号が表示されていることを特徴とする商品展示販売システム。
【請求項２】
前記商品名表示と商品番号表示及び商品仕様説明表示は前記展示用基材に直接又は間接に表示されている請求項１記載の商品展示販売システム。
【請求項３】
前記商品名表示と商品番号表示及び商品仕様説明表示は前記展示用基材に取り出し自在に付設したカタログに表示されている請求項１記載の商品展示販売システム。
【請求項４】
前記商品見本は前記展示用基材に係脱自在に係着して取付けてある請求項１，２又は３記載の商品展示販売システム。
【請求項５】
前記商品見本は前記展示用基材に固定して設けたトレー内に取り出し自在に収容されている請求項１，２又は３記載の商品展示販売システム。
【請求項６】
前記商品見本は透明パッケージで包装して前記展示用基材に取付けてある請求項１，２又は３記載の商品展示販売システム。
【請求項７】
前記包装体は紙製の包装袋である請求項１，２，３，４，５又は６記載の商品展示販売システム。
【請求項８】
前記包装体は燃焼時に大気汚染物質の発生量が少ないプラスチック樹脂で構成した包装袋である請求項１，２，３，４，５又は６記載の商品展示販売システム。
【発明の詳細な説明】
【０００１】
【発明の属する技術分野】
本発明はラック（什器）に展示用フックを取付け、このフックに商品を吊り下げて展示し、販売する商品展示販売システムに関する。本発明は特にＯＡ機器や電気通信機器等の各種の部品等の販売システムに最適である。但し、本発明は上記の商品に限定するものではない。
【０００２】
【従来の技術】
現在、例えばＯＡ機器等の各種部品等の商品を展示用ラックのフックに吊り下げて店頭や店内に展示し、販売するシステムが広く普及している。従来はユーザーが商品を目で見て確認でき、しかもそのまま販売商品とするために表面が透明なプラスチックフィルムで構成したパッケージで商品を包装し、この販売商品パッケージをフックに吊り下げて展示し、販売するシステムを一般に採用している。
【０００３】
しかし、従来の上記商品展示販売システムは次のような問題点を有している。（１）透明パッケージ部分は一般に塩化ビニルを採用しているので、ゴミ焼却する際にダイオキシン等の有毒ガス，悪臭，煤煙等を排出し、これが公害ガス発生の大きな要因になっている。（２）商品とパッケージの間の空間が大になり、そのため、展示スペースが大きくなる問題を有している。（３）商品の大きさと商品の説明スペースは比例関係にあり、商品は小さいが商品説明スペースを多く必要とするような商品には販売商品パッケージを制作するに当たり、商品説明の表示に無理や限界がある。（４）販売商品ひとつひとつにカラフルで高価なパッケージを使用しているので、資源のムダ遣いと過剰包装の問題を有している（特に小物パーツでは商品とパッケージの価格が同じ又はパッケージの方が高価な場合も多く見られる）。（５）従来の商品パッケージは商品を直接手にとって見ることができない。
【０００４】
【発明が解決しようとする課題】
本発明は前記のような実情に鑑みてなされたもので、前記（１）ないし（５）のような問題点を全て解消することができる新規斬新的な商品展示販売システムを提供することを目的とするものである。
【０００５】
【課題を解決するための手段】
上記の目的を達成するため、本発明は展示用ラックに取付けた展示用フックに商品を吊り下げて展示し、販売する商品展示販売システムにおいて、前記フックの最先頭部に商品説明用ディスプレーを吊り下げるシステムと、前記ディスプレーの後方側に位置させて販売商品パッケージを前記フックに着脱自在に吊り下げるシステムからなり、前記ディスプレーは、吊り下げ展示用基材と展示販売する商品の少なくとも１個の商品見本と、前記商品の商品名表示と商品番号、及び前記商品の商品仕様説明表示とを有し、前記販売商品パッケージは、燃焼時における公害ガスの発生量が少ない素材よりなる包装体内に展示販売する商品を収容してなっていると共に、前記包装体には少なくとも前記商品の商品名及び商品番号が表示されていることを特徴とするものである。
【０００６】
このように構成すると、展示用フックの先端部には前記ディスプレーが展示されることになるので装飾効果は維持され、ユーザーは前記ディスプレーの商品見本及び商品仕様説明表示によって購入しょうとする商品の内容を確認することができる。そして、前記販売商品パッケージはコンパクト化されるので展示スペースを小にできると共に過剰包装の問題が解消され、かつ、商品の包装体は燃焼時における公害ガスの発生量が少ない素材で構成されているのでゴミ公害問題の解消に貢献できる。
【０００７】
本発明においては、前記ディスプレーの前記商品名と商品番号及び商品仕様説明の表示手段は任意の方法を採用することができるが、例えば、前記展示用基材に直接又は間接に表示し、或いは前記展示用基材に取り出し自在に付設したカタログに表示する方法等を挙げることができる。
【０００８】
前記商品見本はユーザーが購入しょうとする商品の形状や構造等を確認するためのもので、この商品見本は例えば前記展示用基材に係脱自在に係着して取付け、或いは前記基材に固定して設けたトレー内に取り出し自在に収容する構成を挙げることができる。この構成を採用すると、ユーザーは商品見本を手に触れ、実際の使い方等を体験することが可能になる。また、本発明においては、商品の種類等に応じ、商品見本を透明パッケージで包装して展示する構成を採用することもできる。この構成は例えば、針などの危険物を有する商品や触れる必要性のない商品、或いは高価な商品等の場合に選択するとよい。
【０００９】
前記販売商品パッケージの包装体は燃焼時における公害ガスの発生量が少ない素材を選択して構成するもので、例えば紙製の包装袋や燃焼時に大気汚染物の発生量が少ないプラスチック樹脂で構成した包装袋等を挙げることができる。
【００１０】
【発明の実施の形態】
以下、図面を参照して本発明の実施の形態の一例を説明する。図１は本発明の商品展示販売システムの一実施の形態の全体構成の概要を示す説明図であって、同図ａは商品説明用ディスプレーの概要を示す斜視図、同ｂは販売商品パッケージの概要を示す説明図、同ｃは展示用ラックの展示用フックに吊り下げて展示した状態を示す説明図、図２は図１の前記ディスプレーを拡大して示す斜視図、図３は図１の前記商品パッケージを拡大して示す説明図である。
【００１１】
これら図１〜図３において、この実施の形態は販売する商品としてプラグ付き接続用テレホンコードの展示販売について本発明を適用した一例が示され、商品説明用ディスプレーＤを展示用ラックＲに取付けた展示用フックＦの最先頭部に吊り下げて展示すると共に販売商品パッケージＰを前記ディスプレーＤの後方側に位置させて前記フックＦに着脱自在に吊り下げて展示してある。前記ラックＲ及びフックＦの構成は従来品と全く同様であり、また、フックＦのラックＲに対する取付け方についても同様である。
【００１２】
前記ディスプレーＤは吊り下げ展示用基材１１と、展示販売する商品の商品見本２１と、前記商品の商品名表示３１と商品番号表示３２及び前記商品の商品仕様説明表示３３とを有している。
【００１３】
前記展示用基材１１は前記フックＦに吊り下げるもので、この実施の形態の展示用基材１１は透明プラスチック製の二つ折りの展示用ブリスター１２で構成され、このブリスター１２の上端部に吊り下げ用のフック孔１３を設けてなっている。また、商品見本２１はコード２２の端部にプラグ２３を接続して構成してあると共に前記ブリスター１２の表面の下部側に係合爪片１４，１４を形成し、この爪片１４に前記コード２２を係脱自在に係着して商品見本２１をブリスター１２に取付けてある。
【００１４】
前記各表示３１，３２，３３は商品見本２１と共に購入しょうとする商品を確認するもので、この実施の形態では前記ブリスター１２に挟入して収容する用紙３０を設け、この用紙３０に前記商品名，商品番号、商品仕様説明の各表示３１，３２，３３を印刷等により表示してある。また、この実施の形態では前記用紙３０に商品の使用方法を図解した図解説明表示３４と商品を特定するマーク３５（図示ではハートの図形と数字の５）が印刷により表示されている。このマーク３５は前記商品名及び商品番号と共に商品を確認するために設けたものである。さらに、前記用紙３０には商品の機種（例えば６種４芯）の表示３６及び価格表示３７が印刷等により表示してあ。そして、前記用紙３０を前記ブリスター１２に挟入して収容し、使用するものである。
【００１５】
前記商品パッケージＰは燃焼時における公害ガスの発生量が少ない素材よりなる包装体４１内に展示販売する商品５１を収容してなっている。この実施の形態の包装体４１は紙製の包装袋４２で構成され、袋４２の上端部に吊り下げ用のフック孔４３を設けてなり、前記袋４２の表面に前記商品５１の商品名４４、商品番号４５及び前記マーク３５と同一のマーク４６が印刷等により表示されていると共に価格４７が表示されている。なお、前記包装体４１は紙製の袋４２に代え、燃焼時にダイオキシン等の公害ガスの発生量が少ないプラスチック樹脂（例えばポリエチレンその他のオレフィン系樹脂など）で構成したプラスチック製の包装袋を採用してもよい。
【００１６】
前記商品５１はコード５２の両端にプラグ５３，５３を接続して構成されている。そして、この商品５１を前記袋４２に収容して所定部をシール（図示せず）し、販売商品パッケージＰを構成してある。
【００１７】
この実施の形態の商品説明用ディスプレーＤ及び販売商品パッケージＰは前記のように構成し、前記パッケージＰをフックＦに所望個数吊り下げると共に最先頭部に前記ディスプレーＤを前記フックＦに吊り下げて展示し、販売に供するものである。そして、ユーザーはディスプレーＤで購入する商品を確認し、希望する商品を購入するもので、購入する際にはディスプレーＤをフックＦから外してパッケージＰを取るものである。
【００１８】
図４は本発明の商品展示販売システムの他の実施の形態の商品説明用ディスプレーを示す斜視図、図５は販売商品パッケージを示す説明図である。この実施の形態は販売する商品としてモジュラ中継アダプタの展示販売について本発明を適用したもので、商品説明用ディスプレーＤの構成に特徴がある。
【００１９】
即ち、前記ディスプレーＤの吊り下げ展示用基材１１は紙材やプラスチック板製等の展示用台紙１２Ａで構成され、この台紙１２Ａの上端部に吊り下げ用のフック孔１３を設けてあると共に、台紙１２Ａの表面の下端部に商品見本２１を収容するトレー１５を接着その他の任意の手段で固定して設けてなっている。また、商品見本２１はモジュラー中継アダプタ２３Ａで構成され、このアダプタ２３Ａの適当部を台紙１２Ａの適当部に適当長さの紐等２５で連結し、トレー１５に取り出し自在に収容してある。前記紐等２５による連結は商品見本２１の紛失等を防止するためである。
【００２０】
また、この実施の形態では、商品名，商品番号，商品仕様説明の各表示３１，３２，３３を前記台紙１２Ａの表面に印刷等により直接表示してあると共に前記図解説明表示３４，前記マーク３５（但し、ダイヤの図形と数字の１），商品の機種の表示３６及び価格表示３７も同様の手段で表示してある。
【００２１】
販売商品パッケージＰの包装体４１は図１の実施の形態と同様に紙製の包装袋４２で構成され、この袋４２内に展示販売する商品５１、即ち、モジュラー中継アダプタを収容して所定部をシールし、前記商品パッケージＰを構成してある。前記袋４２の他の構成は図１の実施の形態と同一であるため，同一符号を付して説明を省略する。
【００２２】
この実施の形態の商品説明用ディスプレーＤ及び販売商品パッケージＰは前記のように構成し、図１の実施の形態と同様に前記フックＦに吊り下げて展示し、販売に供するものである。また、ユーザーの購入方法についても同様である。
【００２３】
図６は本発明の商品展示販売システムの他の実施の形態の商品説明用ディスプレーを示す斜視図である。この実施の形態も販売する商品として前記と同様のアダプタの展示販売について本発明を適用したもので、商品説明用ディスプレーＤの構成に特徴がある。
【００２４】
即ち、前記ディスプレーＤの吊り下げ展示用基材１１は紙材やプラスチック板製等の展示用台紙１２Ｂで構成され、この台紙１２Ｂの上端部に吊り下げ用のフック孔１３を設けると共に、台紙１２Ｂの表面の下端部にカタログを収容するカタログ収容部１６及び商品見本２１を収容するトレー１５Ａを接着その他任意の手段で固定して設けてなっている。また、商品見本２１は図４の実施の形態と同様にモジュラー中継アダプタ２３Ａで構成され、このアダプタ２３Ａの適当部を台紙１２Ｂに適当長さの紐等２５で連結し、トレー１５Ａに取り出し自在に収容してある。
【００２５】
また、この実施の形態では前記収容部１６に収容するカタログ３０Ａを作成し、このカタログ３０Ａに商品名，商品番号，商品仕様説明の各表示３１，３２，３３を印刷等で表示すると共に前記図解説明表示３４，前記マーク３５（但し、ダイヤの図形と数字の３），商品の機種の表示３６及び価格表示３７も同様の手段で表示してある。なお、この実施の形態の販売商品パッケージＰは図５の実施の形態と全く同様に構成されている。
【００２６】
図６の実施の形態の商品説明用ディスプレーＤ及び販売商品パッケージＰは前記のように構成し、図１の実施の形態と同様に前記フックＦに吊り下げて展示し、販売に供するものであり、ユーザーの購入方法についても同様である。
【００２７】
図７は本発明の商品展示販売システムの他の実施の形態を示す説明図である。この実施の形態は商品説明用ディスプレーＤ及び販売商品パッケージＰの吊り下げ展示方法に特徴がある。
【００２８】
即ち、この実施の形態の展示用フックＦ1 は二本ののフック杆６１，６２を取付杆６３に上下して固設し、下部側のフック杆６２を上部側のフック杆６１より短く形成してなっている。そして、前記の実施の形態のように構成した販売商品パッケージＰを下部側のフック杆６２に吊り下げると共に商品説明用ディスプレーＤを上部側のフック杆６１の先端部に吊り下げて展示するように構成したものである。この構成を採用すると、前記ディスプレーＤを外さないで商品パッケージＰを取り出すことができる。
【００２９】
【発明の効果】
本発明によれば次のような効果を奏する。（１）販売商品パッケージの商品の包装体は燃焼時における公害ガスの発生量が少ない素材で構成されているのでゴミ公害問題の解消に貢献できる。（２）前記商品パッケージはコンパクト化されるので展示スペースを小にできると共に過剰包装の問題も解消できる。（３）展示用フックの先端部には商品説明用ディスプレーを展示するので、装飾効果は維持され、ユーザーは前記ディスプレーの商品見本及び商品仕様説明表示によって購入しようとする商品の内容を確認することができる。
【図面の簡単な説明】
【図１】本発明の商品展示販売システムの一実施の形態の全体構成の概要を示す説明図であって、同図ａは商品説明用ディスプレーの概要を示す斜視図、図ｂは販売商品パッケージの概要を示す説明図、同ｃは展示用ラックの展示用フックに吊り下げて展示した状態を示す説明図。
【図２】図１の前記ディスプレーを拡大して示す斜視図。
【図３】図１の前記商品パッケージを拡大して示す説明図。
【図４】本発明の商品展示販売システムの他の実施の形態の商品説明用ディスプレーを示す斜視図。
【図５】同じく販売商品パッケージを示す説明図。
【図６】本発明の商品展示販売システムのさらに他の実施の形態の商品説明用ディスプレーを示す斜視図。
【図７】本発明の商品展示販売システムの他の実施の形態を示す説明図。
【符号の説明】
Ｄ    商品説明用ディスプレー
Ｆ    展示用フック
Ｒ    展示用ラック
Ｐ    販売商品パッケージ
１１  吊り下げ用基材
２１  商品見本
３１  商品名表示
３２  商品番号表示
３３  商品仕様説明表示
４１  包装体
５１  商品
【図１】
0004086986.tif 000002
【図２】
0004086986.tif 000003
【図３】
0004086986.tif 000004
【図４】
0004086986.tif 000005
【図５】
0004086986.tif 000006
【図７】
0004086986.tif 000007
【図６】
0004086986.tif 000008